(57)【要約】【目的】  測定テープの巻き取り速度を抑制できるようにして、測定用テープを巻き取る際に生じる該測定テープのエッジ部の折れ跡を低減可能な巻尺を提供できるようにすることにある。【解決手段】  所定厚のフィルム１を、測定テープ２の少なくとも凹面側２ａに設ける。【選択図】  図１
2014085198.tif 000002
【特許請求の範囲】
【請求項１】
ケース内に、測定テープを周囲に巻き回し、該測定テープを巻き取り方向に付勢する付勢手段を内装した回転ドラムを回転自在に支持する自動巻取り式の巻尺であって、測定テープの少なくとも凹面側に、所定厚の速度抑制用部材を設けていることを特徴とする巻尺。
【請求項２】
上記速度抑制用部材が、柔軟性を有するフィルムであることを特徴とする請求項１に記載の巻尺。
【請求項３】
上記速度抑制用部材が、所望の間隔で複数設けられていることを特徴とする請求項１に記載の巻尺。
【請求項４】
上記速度抑制用部材に、２種または２種以上の厚みのものを用いていることを特徴とする請求項３に記載の巻尺。
【請求項５】
上記速度抑制用部材に、２種または２種以上の長さ寸法のものを用いていることを特徴とする請求項３に記載の巻尺。
【請求項６】
上記速度抑制用部材に、２種または２種以上の幅寸法のものを用いていることを特徴とする請求項３に記載の巻尺。
【発明の詳細な説明】
【技術分野】
【０００１】
本発明は、自動巻き取り式の巻尺に関し、特に、測定テープの巻き取り速度を抑制できるようにした巻尺に関する。
【背景技術】
【０００２】
測定テープは、未使用時にはケース内に回転自在に支持された回転ドラムに巻き回された状態になっていて、この測定テープをケース外に引き出していくと該回転ドラムがテープ引き出し方向に回転すると共にこの回転ドラムに内装する付勢手段たるぜんまいばねが付勢され（巻かれ）ていくようになっている。
【０００３】
そして、測定テープをケース内に収納する際は、測定テープから手を離すことによって回転ドラムに内装している付勢状態のぜんまいばねが解放され、これにより回転ドラムがテープ引き出し方向と反対の方向に回転して測定テープを回転ドラムに巻き取っていき、該測定テープはケース内に収納されるのである。
【０００４】
しかしながら、測定テープの巻き取り速度は非常に早く、また、測定テープがケース内に収納される間際になると、ケース外にある測定テープがテープ面に対し上下方向やテープの幅方向などに暴れ、この暴れによって測定テープのエッジ部に折れ跡が残ることがあった。
【０００５】
一般に、この対策としては、測定テープの巻き取り速度を低速にすればよいと考えがちであるが、巻尺を仕事で使用している者（職人）は、測定テープをできる限り早くケース内に収納して次の作業（仕事）に移行したいと考えている人が非常に多いことにより、単に、測定テープの巻き取り速度を低速にすればよいという対策は通用しないのであった。従って、この問題は今だ解決できていないのである。
【先行技術文献】
【特許文献】
【０００６】
【特許文献１】特開２００４−２２６１２５号公報
【発明の概要】
【発明が解決しようとする課題】
【０００７】
本発明の目的とするところは、測定テープの巻き取り速度を抑制できるようにして、測定テープのエッジ部の折れ跡を低減可能な巻尺を提供できるようにすることにある。
【課題を解決するための手段】
【０００８】
上述した課題を解決するために、本発明に係る巻尺は、ケース内に、測定テープを周囲に巻き回し、該測定テープを巻き取り方向に付勢する付勢手段を内装した回転ドラムを回転自在に支持する自動巻取り式の巻尺であって、測定テープの少なくとも凹面側に、所定厚の速度抑制用部材を設けていることを特徴とするものである。
【０００９】
本巻尺は、通常本体ケースが一対の２つ割のケースからなっていて、この一方のケース内面に軸が立設され、この軸に、測定テープを周囲に積層状に巻き回する回転ドラムが支持されている。なお、ケースの構成形態によっては、３つ以上のケースを組み合わせてなるものもある。
【００１０】
また回転ドラムの内部にはぜんまいばねが設けられていて、この回転ドラムの周囲に巻き回する測定テープをケースの外方に引き出していくことによってこのぜんまいばねに付勢力が蓄積されていく。
【００１１】
そして、この蓄積された付勢力を解放すると、ぜんまいばねが初期状態に戻ろうとする作用により、引き出されている測定テープをケース内に引き込むと共に回転ドラムを回転させてこの回転ドラムの周囲に巻き回していく。
【００１２】
このような構成の巻尺における測定テープの凹面側に、所定厚の速度抑制用部材を適当な接着手段や粘着手段を用いて貼り付けている。この速度抑制用部材には、例えば柔軟性を有するフィルムや樹脂製プレートなどを用いればよく、さらには、筒状のフィルムを用いてもよい（この場合は、測定テープの凹面側と凸面側に速度抑制用部材が設けられる）。また、表面の一部もしくは全部に凸凹（エンボス加工／ディンプル形成）を設けてもよい。
なお、上記の樹脂製プレートは、本発明において大なる厚みのフィルムと解され、従って、樹脂製プレートはフィルム部材の一部である。
【００１３】
速度抑制用部材は、測定用テープの速度抑制形態（例えば、減速や加速を停止させる割合）に合わせ、測定用テープの所望の１箇所に数ミリメートル乃至数メートルの長さのものを設けたり、数ミリメートル乃至数十センチメートルの長さのものを適当な間隔で、例えば数十センチメールの間隔を開けて均等に、あるいは、順次広にしながらもしくは狭にしながら設けたり、また、不規則な間隔で設けてもよい。
【００１４】
また、速度抑制用部材を複数設ける場合は、各速度抑制用部材の厚みを同一のものにしたり、あるいは、２種または２種以上の厚みのもの、２種または２種以上の長さ寸法のもの、２種または２種以上の幅寸法のものを適当に配設してもよい。これら速度抑制用部材の厚みは、測定用テープが減速する度合いを考慮し、種々の巻尺に合わせて選定すればよい。なお、該速度抑制用部材の厚みは、測定用テープの回転ドラム巻き回状態を考慮すれば最大で０．５ｍｍ以内にするのが望ましいが、測定用テープの巻き回に余裕があればこの寸法に限定するものではない。
【００１５】
そして、速度抑制用部材を測定テープ面の目盛など測定に必要となる数字上に設ける場合は、速度抑制用部材下の目盛を読み取ることができるように透明の速度抑制用部材（例えば、透明フィルムや透明プレート）を設ける。また、目盛を読み取ることができて測定に支障がなければ着色された半透明のフィルムやプレートを設けてもよい。
【００１６】
なお、測定テープ面に速度抑制用部材を設ける場合は、好適な公知技術を用いて設ければよく、接着剤や粘着剤もしくは両面テープなどを用いて該速度抑制用部材をテープ面に貼り付ければよい。
【００１７】
また、速度抑制用部材は、測定テープの形態や測定テープ巻き取り用のぜんまいばねの巻き取り速度などの仕様によって好適な素材を選定して用いればよいが、通常では合成樹脂素材（例えば、ポリエステルや塩化ビニル、またこれらを基に生産される素材）の柔軟性の速度抑制用部材を用いるのがよい。
【００１８】
速度抑制用部材の柔軟性の程度とは、略１センチメートル以下のものを除き、測定テープに設けた際、該測定テープに追従して動くことができ、例えば、測定テープが回転ドラムに巻き取られるとき、該測定テープの速度抑制用部材の貼り付け部分も支障なく巻き取られる柔らかさであり、また、測定テープを凹面側または凸面側に１８０度折り曲げた際も、速度抑制用部材が剥がれない柔らかさである。
【発明の効果】
【００１９】
本発明の巻尺によれば、高速でケース内に引き込んでいる測定テープの速度が速度抑制用部材の配設位置で速度抑制されるので、すなわち、測定テープが回転ドラムに巻かれるときにこの測定テープ面に配設したフィルムやプレートなどの速度抑制用部材が巻き回抵抗になって回転ドラムの回転を抑制（一定回転の減速／回転加速の停止）できるので、これにより測定テープのケース内引き込み速度が減速もしくは加速を抑制できて、測定テープのエッジ部の折れ跡を大に低減することができる。
【００２０】
また本発明は、非常に簡単な方法でかつ所望の位置から測定テープを減速もしくは加速を抑制させることができるので、測定テープの巻き取り速度が異なる種々の巻尺にも容易に応用することが可能であり、従って、非常に大なる自由度を有する測定テープの巻き取り速度を減速させる方法である。
【００２１】
また、速度抑制用部材と、速度抑制用部材の貼り付け位置に対する測定テープの巻き取り速度の抑制度合いを示した一覧表などを添付し、該速度抑制用部材をユーザー自身が貼り付けできるようにすれば、測定テープの減速もしくは加速を抑制させるところをユーザー自身が自由に選定することも可能である。
【図面の簡単な説明】
【００２２】
【図１】本発明に係る巻尺を示す斜視図。
【図２】本発明に係る巻尺を示す斜視図。
【図３】測定テープの断面図。
【図４】速度抑制用部材の貼り付け位置の一例を示す図。
【図５】巻尺の一部切り欠き側面図。
【発明を実施するための形態】
【００２３】
以下、本発明に係る巻尺を、添付図面に示す具体例に基づいて説明すると、図１は、速度抑制用部材たるフィルム１を、測定テープ２の凹面側２ａに設けているものである。
【００２４】
図２は、速度抑制用部材たるフィルム１を、測定テープ２の凹面側２ａに２箇所設けているものである。
【００２５】
上記図１，２におけるフィルム１の測定テープ２幅方向は、測定テープ２のテープエッジ部２ｂの近傍まで位置するので、目盛２ｄを透視できるよう透明なフィルムを用いている。
【００２６】
また、フィルム１の配設形態の一例を図３に示すと、図３中の（ａ）は、フィルム１が平坦な板状のもので、これを測定テープ２の凹面側２ａに設け（貼り付け）たものを示し、図３中の（ｂ）は、測定テープ２の幅方向における中央部を除いた両テープエッジ部２ｂ（テープエッジの略縁）に設け（貼り付け）たものを示し、図３中の（ｃ）は、フィルム１が筒状のフィルムのもので、これを測定テープ２に被着して凹面側２ａとこの背面側たる凸面側２ｃにも設けたものである。上記筒状のフィルムは、熱収縮フィルムを用いたり、押し出し成形技術を利用してフィルムの被覆を形成する。
【００２７】
図４は、測定テープ２上のフィルム１の配設例を示していて、図４中の（ａ）は、測定テープ２の凹面側２ａの所望位置（巻き取り中の測定テープ２の速度を抑制させたいとするところ）に１箇所設け（貼り付け）たものを示し、図４中の（ｂ）は、測定テープ２の凹面側２ａの所望位置（巻き取り中の測定テープ２の速度を抑制させたいとするところ）に１箇所設け（貼り付け）かつ測定テープ２の長手方向にある程度長くし（数十センチメートル）たものを示し、図４中の（ｃ）は、測定テープ２の凹面側２ａに４箇所設け（貼り付け）かつ測定テープ２先端のフック３側から順次狭にしながら設けたものを示したものである。
【００２８】
以下、上述のように構成した本発明に係る巻尺の作用について説明すると、図５に示すように、巻き取られる測定テープ２の凹面側２ａに設け（貼り付け）たフィルム１が回転ドラム７に巻かれるとき、適当な厚みを有するフィルム１の端縁１ａが回転ドラム７に巻かれている測定テープ２に当接し、この当接が回転ドラム７の回転抵抗となって該回転ドラム７の速度を一瞬減速させ、これにより測定テープ２の巻き取り速度が一瞬低下する。
【００２９】
なお、上述する測定テープ２の巻き取り速度の一瞬の低下でも、回転ドラム７に内装する付勢手段たるぜんまいばねの形態（例えば回転トルク）によっては測定テープ２の巻き取り速度の抑制（一定速の減速／加速の停止）には効果があって、さらには、この測定テープ２の巻き取り速度の一瞬の低下により、巻き取られる測定テープ２のテープ面に対し上下方向への暴れ、またテープ幅方向への捩れが抑制されて測定テープ２を安定よく巻き取ることもできた。
【００３０】
従って、フィルム１を巻尺の形態に合わせて配設すればよく、上述した説明の図４中の（ａ）（ｂ）は、測定テープ２の巻き取り速度を一回減速させる例で、図４中の（ｃ）は、測定テープ２の巻き取り速度を断続的に複数回減速させる例である。
【００３１】
なお、フィルム１は、引っ掛かりを低減させるため角部はアール状にするのがよい。また、測定テープ２の幅方向と長さ方向をほぼ同じ寸法にするフィルム１の平面視形状は、略円形にしてもよい。
【符号の説明】
【００３２】
１…フィルム
１ａ…端縁
２…測定テープ
２ａ…凹面側
２ｂ…テープエッジ部
２ｃ…凸面側
２ｄ…目盛
３…フック
４…ケース
５…ベルトクリップ
６…制動レバー
７…回転ドラム
【図１】
2014085198.tif 000003
【図２】
2014085198.tif 000004
【図３】
2014085198.tif 000005
【図４】
2014085198.tif 000006
【図５】
2014085198.tif 000007